(57)【要約】【課題】  吐出口から低い位置にスロワを設けた二番処理装置は、揚程が高くなり湿材等が詰まり易くなったり、扱室から長藁が逆流してスロワに巻き付くことがある。又、枝梗付着粒が処理されないまま扱室に還元され、仕上がり穀粒に混入する等の不具合がある。【解決手段】  スロワ１０の揚程を短縮して背面板２を扱胴カバー３の天井板５に沿わせ、吐出口６に連設する腹面板７の頂点１４からスロワ羽根９を突出させて扱室４に近づけ、扱胴カバー３よりも薄く形成した二番処理カバー１２の高さＨ２内に跳上筒１を設け、揚穀筒を分割した構造にするとともに二番処理装置１５に架設した螺旋コンベヤ１６に扱歯１７と受け歯２０を対設し、処理区間Ｌを形成した二番処理装置である。【選択図】  図１
2005117956.tif 000002
【特許請求の範囲】
【請求項１】
機体の進行方向に装備した扱室に対して直交する二番処理装置を該扱室の前方に横設し、選別部に連結する二番還元筒の終端を該二番処理装置の供給側に臨ませ、放出側に設けたスロワを介して前記扱室の前面と連通させた普通型コンバインにおいて、跳上筒（１）の背面板（２）を扱胴カバー（３）の天井板（５）に沿わせるとともに扱室（４）の前面に吐出口（６）を開口し、その下側に連設する腹面板（７）の頂点（１４）よりもスロワ羽根（９）の先端を突出させたことを特徴とする普通型コンバインの二番処理装置。
【請求項２】
開閉する扱胴カバー（３）の分離面（１１ａ）よりも上方に二番処理カバー（
１２）の分離面（１１ｂ）を配置し、該扱胴カバー（３）と二番処理カバー（１２）を一体開閉させたことを特徴とする請求項１に記載した普通型コンバインの二番処理装置。
【請求項３】
二番処理装置（１５）内に架設した螺旋コンベヤ（１６）の中途部に扱歯（１７）を突設させ、受け歯（２０）をシリンダー（１８）の内周に対設した処理区間（Ｌ）を設けたことを特徴とする請求項１に記載した普通型コンバインの二番処理装置。
【請求項４】
処理区間（Ｌ）からスロワ（１０）側に連設した螺旋コンベヤ（１６）の搬送ピッチ（Ｐ２）を前記処理区間（Ｌ）の搬送ピッチ（Ｐ１）よりも大にしたことを特徴とする請求項３に記載したの普通型コンバインの二番処理装置。
【発明の詳細な説明】
【技術分野】
【０００１】
本発明は、刈取った全稈を軸流形のスクリュー扱胴に投入して脱穀処理を行い
、選別部で発生した２番物を扱室の前方に横設した二番処理装置に供給して、放出側に設けたスロワを介して該扱室と連通させた普通型コンバインの二番処理装置に関するものである。
【背景技術】
【０００２】
従来、扱室の前面に装備した二番処理装置に選別部で分離回収した二番物を供給し、螺旋コンベヤで側方に搬送させて放出側に設けたスロワケースと跳上筒を介し、扱室内側の壁面に向けて還元物を投入するスロワ筒を設けたものがある（
例えば特許文献１参照。）。又、脱穀選別部で分離した二番物を回収する二番コンベヤに棒状のツースを多数突設させた公知技術の図面が開示されている（例えば特許文献２参照。）。更に、二番還元スロワ先の下端縁を扱胴の前端に接近するまで低く形成し、扱室の前面に向かって途中から下降する傾斜面を延設した腹面形状にして、扱室内の圧力が跳上筒に逆流することを防止したものがある（例えば特許文献３参照。）。
【０００３】
このような扱室内の圧力を回避したスロワ位置は、扱室の正面に対して扱胴の中心付近まで低く設置され、扱胴カバーの上部空間に投入させる跳上筒の揚程が高くなって、投出力が低下するために回転周速度を高める等の手段を講じるが、損傷粒の発生や磨耗が進行して耐久性を損なうことになる。このような不具合を改善した本発明の構成は、未処理物を単粒化させる扱歯と対向する受け歯を螺旋コンベヤの中途部に設け、搬送抵抗の発生にともなう該未処理物の脱粒を促進させる処理機能を付加した構成にしたものである。
【０００４】
【特許文献１】特公平７−１０８１４９号公報（第１、３頁、第１、５図）
【特許文献２】実開昭６３−１３５３７号公報（第１頁、第１図）
【特許文献３】実公平６−４６８８号公報（第１頁、第１図）
【発明の開示】
【発明が解決しようとする課題】
【０００５】
全稈を投入する扱室内の圧力や塵埃を逆流させないために、吐出口から離れた低い位置にスロワが設けられて揚程が高くなり湿材等が詰まり易く、しかも、扱室から跳上筒に逆流する長藁や塵埃がスロワに巻き付き搬送障害を生じる。又、供給された二番物の枝梗付着粒が処理されないまま扱室に投入され、自脱型コンバインに比べて目開きの大きい受け網を通過し、仕上がり穀粒に混入する不具合がある。
【課題を解決するための手段】
【０００６】
このような不具合を改善するために、跳上筒の背面板を扱胴カバーの天井板に沿わせ、先端を扱室の前面に開口した吐出口に連結し、その下側に張設した腹面板の頂点よりもスロワ羽根の先端を突出させ、スロワ羽根の投出力を強めたことによって、扱室内の長藁が逆流してスロワ羽根に接触し難いスロワ構造にしたものである。
【０００７】
開閉する扱胴カバーの分離面よりも上方に二番処理カバーの分離面を配置し、該扱胴カバーと二番処理カバーを一体開閉させ、分離面が高くなった前記二番処理カバーに跳上筒を収設し、開口時に裏面が運転席から直視し易くした扱胴カバーの段差構造にした。
【０００８】
二番処理装置内に架設した螺旋コンベヤの中途部に扱歯を突設させ、受け歯をシリンダーの内周に対設した処理区間を設け、搬送抵抗の発生にともなう未処理物の単粒化を促進する処理機能を移送経路に付加した構成である。
【０００９】
処理区間からスロワ側に連設する螺旋コンベヤの搬送ピッチを前記処理区間の搬送ピッチよりも大にし、扱歯と受け歯を排除して搬送ピッチを大きくしたコンベヤをスロワの前方に設け、スロワ羽根に取り込む搬送速度を早くする構成にした。
【発明の効果】
【００１０】
扱室の前面に横設した二番処理装置の搬送障害を除去するために、跳上筒の腹面側に形設した山形状の頂点よりもスロワ羽根の先端を突出させ、扱室内の供給穀稈が跳上筒内に逆流する到達位置にスロワ羽根を近づけ、吐出口に対して該スロワが離反する距離を短縮し、扱室内えの投入力を増大させるとともに二番物の搬送障害が防止される二番処理装置である。又、全稈を投入する普通形コンバインでは、扱室の受け網目を太くして大量の穀稈から穀粒を分離しながら選別部に落下させるので、仕上がり穀粒に未処理物や枝梗付着粒の混入が多くなり、これを二番処理装置内に架設した螺旋コンベヤの一部に扱歯と受け歯を対設させ、単純な処理区間を形成したことで選別性能を向上させる利点がある。
【発明を実施するための最良の形態】
【００１１】
扱室の内圧が逆流する跳上筒に対して、スロワ羽根を扱室前面に開口する吐出口に近づけた二番処理装置にし、該スロワの揚程を最短にして強い投入力を発生させ、スクリュー扱胴の始端側に還元物を深く投入する二番処理装置にするとともに、二番物を搬送する既存の螺旋コンベヤに扱歯を直付けし、これに受け歯を脱着自在に対設させた処理区間を形成して、その前後に連設する螺旋コンベヤの搬送速度を送塵リード板等の補助手段を用いずに増幅させ、前記処理区間の前後に連設する螺旋コンベヤの搬送速度をバランス良く調整した二番処理装置にしたものである。
【実施例】
【００１２】
本発明の二番処理装置を装備した構造を図７に示す要部を断面したコンバインの平面図と、図８に示す要部を断面した普通型コンバインの全体側面図で説明すると、一対のクローラ走行装置２３を備えた機台２５上の右側にエンジンルーム２６を設け、その上部に運転席２７の座席シート２８を設けたキャビン３０を載置するとともに、脱穀部Ａで選別した穀粒を一時貯留するグレンタンク３１を後方に連設してあり、その後端に搬出用の縦コンベヤ３２を立設させ、上部に昇降と旋回をする排出オーガ３３が嵌着して穀粒を所定の位置に排出する構造にしたものである。一方機台２５の左側には前記脱穀部Ａが搭載され、その前方に機体幅よりも広い刈取部Ｂを昇降自在に装着して、先端に分草板３５を設けて倒伏した茎稈等を浮揚させ、上方で回転するリール３６を上下調節しながら穀稈を引起して刈刃３７で切断する刈取り作業を行い、後方に連設してある搬送オーガ３８で前記脱穀部Ａに連結したフィーダーハウス４０の入口に集稈し、内装されたスラットコンベヤ４１によってスクリュー扱胴４２の円錐頭部４６に巻回したインペラ４５に受継ぎ、脱穀処理をするようにした普通形コンバインの構成である。
【００１３】
スクリュー扱胴に受継いだ穀稈の処理構造と移動経路を説明すると、脱穀部Ａの前後長と略等しい長さのスクリュー扱胴４２を扱室４に架設し、円錐頭部４６に巻回したインペラ４５の下方に穀稈を取り込み、扱室４内を移動する茎稈から穀粒を離脱させるために、下方の半周に張設した受け網４７との隙間で穀稈を揉み解し、離脱した穀粒に塵埃が混在した扱卸物を前記受け網４７から矢印イ方向に落下させ、選別部Ｃの上方で前後に揺動する揺動選別体５１上で受け止め、扱卸物を後方に移動させながら篩選別をするものである。一方前記扱室４内を後方に移動した塵埃や茎稈は、後端に開口する送塵口４８から前記選別部Ｃの後端に設けた排塵風路５０に排稈する処理経路にしたものである。
【００１４】
このような揺動選別体による篩選別と選別部で発生する選別風によって穀粒を分離する構造概要を説明すると、扱室４の下方に並設した選別部Ｃには前後に揺動運動をする揺動選別体５１が側板から支持してあり、その前方下に設けた唐箕ファン５２が起風した矢印ロ方向の選別風によって、前記揺動選別体５１で粗選別された扱卸物から良穀粒を分離し、一番コンベヤ５３で集穀した仕上がり穀粒を機外に搬出して併設したグレンタンク３１に一時貯留するものである。又、選別風路５６の後方側に飛び越した少量の未処理物と、塵埃が混入した二番物が二番コンベヤ５５に回収され、二番還元筒５７を介して本発明の要旨である二番処理装置１５にこの二番物を供給して、脱粒処理と扱室還元を行う構成にしたものである。
【００１５】
図１は扱室の前面に横設した二番処理装置の正面図であって、図２のスロワを断面した側面図に図８の全体側面図を併用して２番処理装置の構造を説明すると
、二番還元筒５７の供給口５８を扱室４の外側に突出した二番処理装置１５の始端側に臨ませ、内設した螺旋コンベヤ１６の横送り作用でもって処理区間Ｌを通過させ、未処理物の単粒化が促進した還元物を終端側に設けたスロワ１０に送り込み、前記螺旋コンベヤ１６と一体回転するスロワ羽根９により、扱室４の前面に開口する吐出口６から該扱室４の前部の右側上方に投入する構成にしてある。
【００１６】
このように扱室前面に装備した二番処理装置の脱粒構造について説明すると、二番処理装置１５に架設した螺旋コンベヤ１６の中途部に外周から突出する扱歯１７を複数列にわたり直付けし、これに対して歯先隙間を保持したＵ字形のシリンダー１８内に受け歯２０を対設させ、前記螺旋コンベヤ１６に処理区間Ｌを形成したものであって、スロワ１０に至る終端側に巻回した前記螺旋コンベヤ１６の搬送ピッチＰ２を該処理区間Ｌの搬送ピッチＰ１よりも大にし、受け歯２０や扱歯１７による搬送抵抗で減速した送り速度を後半で回復させ、スロワ羽根９に還元物を定量供給するようにした構成である。
【００１７】
還元物を扱室４の上部に投入する揚穀筒の構造は、スロワ１０のスロワケース１３を脱穀部Ａの固定側に装着し、連結する上部の跳上筒１を開閉するカバー側に設けた分割構造にしてあって、前記スロワケース１３をシリンダー１８とともに脱穀枠６０に固着し、跳上筒１を形成する背面板２と腹面板７を開閉する二番処理カバー１２の高さＨ２内に収設して、先端に開口する吐出口６から扱胴カバー３の前面を介して前記扱室４に還元物を投入するものであって、該扱胴カバー３と二番処理カバー１２を一体化した開閉構造にし、前記脱穀枠６０の左外側を支点にして運転席２７側から操作する扱胴カバー３の構成にしてある。
【００１８】
二番処理装置１５の駆動構造を図６に示してあり、２番還元筒５７に内設した揚穀コンベヤ７３の軸端に一対のベベルギヤ７５を噛合させ、受継ぎケース７６の外端に突出したコンベヤ軸６２にスプロケット７７を設け、駆動チェン７８を巻き掛けて矢印ハ方向にスロワ１０が回転をするものである。尚８０は、螺旋コンベヤ１６の始端側に二番物を供給する跳出し羽根である。
【００１９】
図３は処理区間の断面図であって、コンベヤ軸６２に螺旋コンベヤ１６を巻回させ、コンベヤ径から突出する扱歯１７を４等分に溶着し、この間に矢印ハ方向の回転に対して後退角度をもった受け歯２０を対設させ、シリンダー１８の内面に平頭ボルト６３で脱着自在に螺着したものである。又、受け歯２０を装着した前カバ−６５を取り外しができる分割構造にして、二番処理装置１５で発生する異状事態や整備点検を行い易くしたシリンダー１８の構成である。
【００２０】
図2のスロワを断面した側面図に示すように扱胴４３の円錐頭部４６に搬送ピッチの大きいインペラ４５が装着され、全稈を取り込む際に長い茎稈が扱室４の前方で矢印ニ方向に回転し、その圧力風が吐出口６に侵入して長藁が腹面板７の頂点１４を越えてスロワ羽根９に接触すると、内部に巻き込み巻き付きによる機能障害を生じる。これを防止するために腹面板７の頂点１４をスロワ１０の中心よりも上側に配置し、該頂点１４を扱室４の前面から後退した傾斜板８を設けて扱室側に戻るように誘導させ、穀稈の侵入を防止したものである。
【００２１】
この頂点１４から図示記号Yの如くスロワ羽根９の先端を突出させた跳上筒１の構成にしたので、吐出口６と該スロワ羽根９の先端との距離が接近して、インペラ４５の回転で増大した内圧に打ち勝つ投入力が発生し、跳出筒１に逆流する圧力風を小型のスロワ１０で阻止できた二番処理装置である。
【００２２】
扱室４に対するコンベヤ軸６２の配置を正面視で扱胴軸６１の上方に設置し、扱胴カバー３の分離面１１ａから高くした二番処理カバー１２の分離面１１ｂでスロワケース１３と跳上筒１を分割して、該跳上筒１の先端に至る背面板２を前記扱胴カバー３の天井板５に沿わせた形状にしてあり、一方の腹面板７の頂点１４を扱室４の前面より後退させて傾斜板８で山形状にした跳上筒１の形状にしたものである。この傾斜板８は扱胴４３が矢印ニ方向に回転する下降側に形成され
、侵入しようとする塵埃を前記扱室４内に誘導する機能がある。
【００２３】
図4は扱胴カバーと二番処理カバーの側面図であって、図5の扱胴カバーの正面図を併用して開閉するカバーの構造を説明すると、脱穀枠６０と接合する扱胴カバー３の分離面１１ａに対し、二番処理カバー１２の分離面１１ｂを高く設定し、段差のある一体カバーの構成にしてあり、点線で図示するように跳上筒１が前記二番処理カバー１２の高さＨ２内に装着され、スロワケース１３側を前記脱穀枠６０側に固着して開閉する都度分離する分割構造にしたものである。
【００２４】
扱胴カバー３の前後にロックレバー６６を回動自在に装着し、そのフック溝６７が嵌着するロックピン６８が脱穀枠６０に対設され、図2に示す運転席２７側からレバー操作を行い該扱胴カバー３を固定するとともに、相対する脱穀枠６０に支点座７１を設けて回動支点７０にし、、図５の鎖線で示すように扱胴カバー３が上昇位置に開く構造にしたので、二番処理カバー１２に設けた跳上筒１の裏面が前記扱胴カバー３の分離面１１ａよりも高い位置に開口し、運転席２７から詰まり等の異状を視認し易くしたものである。又、大型カバーの開閉操作を補助するダンバー７２を扱室４の前後面からカバー体に連結して操作の労力を軽減した構成にしてある。
【００２５】
以上説明したように、扱室４の前面に処理機能を付加した螺旋コンベヤ１６を設け、軸流方向に架設したスクリュー扱胴４２の正面から、二番物の未処理粒を処理した後の還元物を前記扱室４の空間に投入する二番処理装置１５にしたので、以下に記載するような効果がある。
【００２６】
跳上筒１の背面板２を扱胴カバー３の天井板５に沿わせるとともに、扱室４の前面に吐出口６を開口し、その下側に連設する腹面板７の頂点１４よりもスロワ羽根９の先端を突出させたので、該吐出口６にスロワ羽根９が接近して投入力が高まり、前記扱室４の始端側に生じた内圧に対してスロワ１０の詰まりが防止され、奥深く還元物を投入できるようになった。
【００２７】
開閉する扱胴カバー３の分離面１１ａよりも上方に二番処理カバー１２の分離面１１ｂを配置し、該扱胴カバー３と二番処理カバー１２を一体開閉させ、しかも、跳上筒１が開閉する二番処理カバー１２内に収設されているので揚程が短縮され、還元量の増大や湿材が筒内に付着して発生する詰まりが減少するとともに
、分離面１１ｂが高い位置に開口して運転席２７から跳上筒１の裏面が視認し易くなった。
【００２８】
二番処理装置１５内に架設した螺旋コンベヤ１６の中途部に扱歯１７を突設させ、受け歯２０をシリンダー１８の内周に対設した処理区間Ｌを設けたので、既存のコンベヤに扱歯１７を直付けした簡便な構造で、二番物の処理を促進させることができ選別性能が向上した。
【００２９】
処理区間Ｌからスロワ１０側に連設した螺旋コンベヤ１６の搬送ピッチＰ２を前記処理区間Ｌの搬送ピッチＰ１よりも大にしたので、処理区間Ｌで停滞した二番物が搬送ピッチＰ２に増幅した終端側の送り速度に調整され、送塵弁等の補助手段無しで搬送速度が変化して、スロワ１０に還元物を定量供給するとともに構造も簡素化できた。
【産業上の利用可能性】
【００３０】
脱穀選別部で分離した二番物を扱胴に還元する搬送過程に処理装置を付加して、扱室正面から扱胴の始端部に向けて供給する移送経路で、搬送異状を生じさせない二番還元装置に活用できる。
【図面の簡単な説明】
【００３１】
【図１】扱室の前面に横設した二番処理装置の正面図である。
【図２】スロワを断面した側面図である。
【図３】処理区間の断面図である。
【図４】二番処理と扱胴カバーの側面図である。
【図５】扱胴カバーの正面図である。
【図６】駆動構造を示す要部側面図である。
【図７】要部を断面したコンバインの平面図である。
【図８】要部を断面した普通形コンバインの全体側面図である。
【符号の説明】
【００３２】
Ａ・・脱穀部          Ｂ・・刈取部          Ｐ１・・処理区間ピッチ
Ｐ２・・スロワ側ピッチ  Ｌ・・処理区間        Ｈ１・・扱胴カバー高さ
Ｈ２・・二番処理カバー高さ          Ｙ・・スロワ羽根の突出高さ
１・・跳上筒          ２・・背面板            ３・・扱胴カバー
４・・扱室            ５・・天井板            ６・・吐出口
７・・腹面板          ８・・傾斜板            ９・・スロワ羽根
１０・・スロワ        １１・・分離面          １２・・二番処理カバー
１３・・スロワケース  １４・・頂点            １５・・二番処理装置
１６・・螺旋コンベヤ  １７・・扱歯            １８・・シリンダー
２０・・受け歯        ４２・・スクリュー扱胴  ４５・・インペラ
５５・・二番コンベヤ  ５７・・二番還元筒      ６０・・脱穀枠
６５・・前カバー      ７６・・受継ぎケース
矢印イ・・受け網から落下する方向
矢印ロ・・選別風の方向
矢印ハ・・スロワの回転方向
矢印ニ・・スクリュー扱胴の回転方向
【図１】
2005117956.tif 000003
【図２】
2005117956.tif 000004
【図３】
2005117956.tif 000005
【図４】
2005117956.tif 000006
【図５】
2005117956.tif 000007
【図６】
2005117956.tif 000008
【図７】
2005117956.tif 000009
【図８】
2005117956.tif 000010